(57)【要約】【課題】溶着リブの内側で発生する溶着バリの内部空間内へのはみ出しを抑制できるとともに、樹脂製品に必要な耐圧強度を確保することができる溶着リブ構造を提供する。【解決手段】本溶着リブ構造５では、樹脂部材１の溶着端側には、その形状にならって溶着リブ１１が立ち上げられている。そして、樹脂部材の溶着端側は、平面方向に湾曲するコーナー部１２を有し、コーナー部において、溶着リブの内側壁１１ａは、樹脂部材の溶着端側の内側面１３を形成する円弧１４の曲率半径ｒ１より小さな曲率半径ｒ２を持つ円弧状に形成されているとともに、コーナー部の内側に向かって突出する凸部１６を備える。【選択図】図３
2019137001.tif 000002
【特許請求の範囲】
【請求項１】
互いに溶着される第１樹脂部材及び第２樹脂部材のうちの少なくとも一方の樹脂部材に備えられる溶着リブ構造であって、
前記樹脂部材の溶着端側には、その形状にならって溶着リブが立ち上げられており、
前記樹脂部材の溶着端側は、平面方向に湾曲するコーナー部を有し、
前記コーナー部において、前記溶着リブの内側壁は、前記樹脂部材の溶着端側の内側面を形成する円弧の曲率半径より小さな曲率半径を持つ円弧状に形成されているとともに、前記コーナー部の内側に向かって突出する凸部を備えることを特徴とする溶着リブ構造。
【請求項２】
前記樹脂部材の溶着端側には、外側に張り出すようにフランジが設けられており、
前記溶着リブは、前記フランジ上の張出し方向の中間部に立ち上げられている請求項１記載の溶着リブ構造。
【請求項３】
前記凸部は、前記溶着リブの内側壁の円弧方向の中央部に配置されている請求項１又は２に記載の溶着リブ構造。
【請求項４】
前記凸部は、前記溶着リブの内側壁の立ち上げの高さ方向にわたって設けられている請求項１乃至３のいずれか一項に記載の溶着リブ構造。
【請求項５】
前記溶着リブの立ち上げ端側は、先細り状に形成されている請求項１乃至４のいずれか一項に記載の溶着リブ構造。
【発明の詳細な説明】
【技術分野】
【０００１】
本発明は、溶着リブ構造に関し、さらに詳しくは、互いに溶着される第１樹脂部材及び第２樹脂部材のうちの少なくとも一方の樹脂部材に備えられる溶着リブ構造に関する。
【背景技術】
【０００２】
従来の樹脂製品として、例えば、図９に示すように、第１樹脂部材１０１と、該第１樹脂部材１０１と溶着されて第１樹脂部材１０１との間に内部空間１０３を形成する第２樹脂部材１０２と、を備える樹脂製品Ｐが一般に知られている（例えば、特許文献１等参照）。この樹脂部材１０１の溶着リブ構造１０５では、樹脂部材１０１の溶着端側には、その形状にならって溶着リブ１１１が立ち上げられている。そして、例えば、図１０に示すように、樹脂部材１０１の溶着端側は、平面方向に湾曲するコーナー部１１２を有し、そのコーナー部１１２において、溶着リブ１１１の内側壁１１１ａは、樹脂部材１０１の溶着端側の内側面１１３を形成する円弧１１４の曲率半径ｒ１（例えば、５ｍｍ）よりも大きな曲率半径ｒ２（例えば、７ｍｍ）を持つ円弧状に形成されている。
【先行技術文献】
【特許文献】
【０００３】
【特許文献１】特開平０５−１７７７１２号公報
【発明の概要】
【発明が解決しようとする課題】
【０００４】
ここで、上述の溶着リブ構造１０５では、振動溶着時に、樹脂部材１０１の溶着端側のコーナー部１１２における溶着リブ１０１の内側で局所的に集中して溶着バリＢが発生し易い（図９参照）。しかし、上述の溶着リブ構造１０５では、コーナー部１１２において、溶着リブ１１１の内側壁１１１ａは、樹脂部材１０１の溶着端側の内側面１１３を形成する円弧１１４の曲率半径ｒ１よりも大きな曲率半径ｒ２を持つ円弧状に形成されているので、溶着リブ１１１の内側のバリ溜り空間１２９の容積を大きく確保できない。そのため、溶着リブ１１１の内側で発生する溶着バリＢが内部空間１０３内にはみ出してしまう恐れがある。
【０００５】
上述の問題を解決するために、樹脂部材１０１の溶着端側のコーナー部１１２において、溶着リブ１１１の内側壁１１１ａを比較的小さな曲率半径の円弧面状に設定することで、溶着リブ１１１の内側のバリ溜り空間１２９の容積を大きく確保することが考えられる。しかし、この場合、コーナー部１１２において、溶着リブ１１１の内側で応力集中が生じ易く、樹脂製品Ｐの耐圧強度が低下してしまう。
【０００６】
なお、上記特許文献１には、樹脂部材の振動溶着において、樹脂部材の溶着端側がコーナー部を有する構成が開示されている（図１参照）。しかし、特許文献１には、コーナー部において振動溶着時に溶着リブの内側で局所的に集中して溶着バリが発生すること、及びこれを解決する手段について全く開示されていない。
【０００７】
本発明は、上記現状に鑑みてなされたものであり、溶着リブの内側で発生する溶着バリの内部空間内へのはみ出しを抑制できるとともに、樹脂製品に必要な耐圧強度を確保することができる溶着リブ構造を提供することを目的とする。
【課題を解決するための手段】
【０００８】
上記問題を解決するために、請求項１に記載の発明は、互いに溶着される第１樹脂部材及び第２樹脂部材のうちの少なくとも一方の樹脂部材に備えられる溶着リブ構造であって、前記樹脂部材の溶着端側には、その形状にならって溶着リブが立ち上げられており、前記樹脂部材の溶着端側は、平面方向に湾曲するコーナー部を有し、前記コーナー部において、前記溶着リブの内側壁は、前記樹脂部材の溶着端側の内側面を形成する円弧の曲率半径より小さな曲率半径を持つ円弧状に形成されているとともに、前記コーナー部の内側に向かって突出する凸部を備えることを要旨とする。
請求項２に記載の発明は、請求項１記載の発明において、前記樹脂部材の溶着端側には、外側に張り出すようにフランジが設けられており、前記溶着リブは、前記フランジ上の張出し方向の中間部に立ち上げられていることを要旨とする。
請求項３に記載の発明は、請求項１又は２に記載の発明において、前記凸部は、前記溶着リブの内側壁の円弧方向の中央部に配置されていることを要旨とする。
請求項４に記載の発明は、請求項１乃至３のいずれか一項に記載の発明において、前記凸部は、前記溶着リブの内側壁の立ち上げの高さ方向にわたって設けられていることを要旨とする。
請求項５に記載の発明は、請求項１乃至４のいずれか一項に記載の発明において、前記溶着リブの立ち上げ端側は、先細り状に形成されていることを要旨とする。
【発明の効果】
【０００９】
本発明の溶着リブ構造によると、樹脂部材の溶着端側には、その形状にならって溶着リブが立ち上げられており、樹脂部材の溶着端側は、平面方向に湾曲するコーナー部を有し、コーナー部において、溶着リブの内側壁は、樹脂部材の溶着端側の内側面を形成する円弧の曲率半径より小さな曲率半径を持つ円弧状に形成されているとともに、コーナー部の内側に向かって突出する凸部を備える。これにより、樹脂部材の溶着端側のコーナー部において、溶着リブの内側のバリ溜り空間の容積を大きく確保できるとともに、溶着リブの剛性が高められる。よって、溶着リブの内側で発生する溶着バリの内部空間内へのはみ出しを抑制できるとともに、樹脂製品に必要な耐圧強度を確保することができる。
また、前記樹脂部材の溶着端側に、外側に張り出すようにフランジが設けられており、前記溶着リブが、前記フランジ上の張出し方向の中間部に立ち上げられている場合は、溶着リブの内側のバリ溜り空間の容積を更に大きく確保できるとともに、溶着リブの剛性が更に高められる。
また、前記凸部が、前記溶着リブの内側壁の円弧方向の中央部に配置されている場合は、溶着リブの内側のバリ溜り空間の容積を更に大きく確保できるとともに、溶着リブの剛性が更に高められる。
また、前記凸部が、前記溶着リブの内側壁の立ち上げの高さ方向にわたって設けられている場合は、溶着リブの内側のバリ溜り空間の容積を更に大きく確保できるとともに、溶着リブの剛性が更に高められる。
さらに、前記溶着リブの立ち上げ端側が先細り状に形成されている場合は、樹脂部材の溶着初期の溶着バリの発生量が抑制される。よって、溶着バリの内部空間内へのはみ出しを更に確実に抑制できる。
【図面の簡単な説明】
【００１０】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る樹脂製品の要部縦断面図である。
【図２】上記樹脂製品の分解斜視図である。
【図３】実施例に係る第１樹脂部材の第１溶着リブ構造の要部平面図である。
【図４】実施例に係る第２樹脂部材の第２溶着リブ構造の要部平面図である。
【図５】上記第１樹脂部材の第１溶着リブ構造の縦断面図であり、（ａ）は図３のａ−ａ線断面図であり、（ｂ）は図３のｂ−ｂ線断面図である。
【図６】上記第２樹脂部材の第２溶着リブ構造の縦断面図であり、（ａ）は図４のａ−ａ線断面図であり、（ｂ）は図４のｂ−ｂ線断面図である。
【図７】他の形態に係る溶着リブ構造を説明するための説明図であり、（ａ）は第１溶着リブ構造の溶着リブの先端側を先細り状に形成した形態を示し、（ｂ）は第２溶着リブ構造の溶着リブの先端側を先細り状に形成した形態を示す。
【図８】更なる他の形態に係る溶着リブ構造の要部平面図である。
【図９】従来の樹脂製品の要部縦断面図である。
【図１０】従来の樹脂部材の溶着リブ構造の要部平面図である。
【発明を実施するための形態】
【００１１】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１２】
本実施形態に係る溶着リブ構造は、互いに溶着される第１樹脂部材（１）及び第２樹脂部材（２）のうちの少なくとも一方の樹脂部材に備えられる溶着リブ構造（５、６）であって、樹脂部材（１、２）の溶着端側には、その形状にならって溶着リブ（１１、２１）が立ち上げられている（例えば、図１及び図２等参照）。そして、樹脂部材（１、２）の溶着端側は、平面方向に湾曲するコーナー部（１２、２２）を有し、コーナー部（１２、２２）において、溶着リブの内側壁（１１ａ、２１ａ）は、樹脂部材（１、２）の溶着端側の内側面（１３、２３）を形成する円弧（１４、２４）の曲率半径（ｒ１）より小さな曲率半径（ｒ２）を持つ円弧状に形成されているとともに、コーナー部の内側に向かって突出する凸部（１６、２６）を備える（例えば、図３及び図４等参照）。
【００１３】
本実施形態に係る溶着リブ構造としては、例えば、上記樹脂部材（１、２）の溶着端側には、外側に張り出すようにフランジ（１０、２０）が設けられており、溶着リブ（１１、２１）は、フランジ上の張出し方向の中間部に立ち上げられている形態（例えば、図３及び図４等参照）が挙げられる。
【００１４】
本実施形態に係る溶着リブ構造としては、例えば、上記凸部（１６、２６）は、溶着リブの内側壁（１１ａ、２１ａ）の円弧方向の中央部に配置されている形態（例えば、図３及び図４等参照）が挙げられる。
【００１５】
本実施形態に係る溶着リブ構造としては、例えば、上記凸部（１６、２６）は、溶着リブの内側壁（１１ａ、２１ａ）の立ち上げの高さ方向にわたって設けられている形態（例えば、図５及び図６等参照）が挙げられる。
【００１６】
本実施形態に係る溶着リブ構造としては、例えば、上記溶着リブ（１１、２１）の立ち上げ端側は、先細り状に形成されている形態（例えば、図７等参照）が挙げられる。
【００１７】
なお、上記実施形態で記載した各構成の括弧内の符号は、後述する実施例に記載の具体的構成との対応関係を示すものである。
【実施例】
【００１８】
以下、図面を用いて実施例により本発明を具体的に説明する。
【００１９】
（１）樹脂製品
本実施例に係る樹脂製品Ｐは、図１及び図２に示すように、第１樹脂部材１と、第１樹脂部材１と溶着されて該第１樹脂部材１との間で内部空間３を形成する第２樹脂部材２と、を備えている。これら第１及び第２樹脂部材１、２は、開口を有するケース状に形成されている。また、内部空間３は、流体が流れる流路空間として利用される。そして、第１樹脂部材１には、第１溶着リブ構造５が備えられており、第２樹脂部材２には、第２溶着リブ構造６が備えられている。
【００２０】
（２）溶着リブ構造の構成
本実施例に係る第１溶着リブ構造５では、図１及び図２に示すように、第１樹脂部材１の溶着端側には、その形状にならって溶着リブ１１が立ち上げられている。具体的に、第１樹脂部材１の溶着端側には、外側に張り出すようにフランジ１０が設けられており、溶着リブ１１は、フランジ１０上の張出し方向の中間部に配置されている。また、第１樹脂部材１の溶着端側は、平面方向に湾曲するコーナー部１２を有している。
【００２１】
上記コーナー部１２においては、図３及び図５（ｂ）に示すように、溶着リブ１１の内側壁１１ａは、第１樹脂部材１の溶着端側の内側面１３（すなわち、フランジ１０の内側壁（１０ａ）を形成する円弧の曲率半径ｒ１（例えば、５ｍｍ）より小さな曲率半径ｒ２（例えば、４ｍｍ）を持つ円弧面状に形成されている。さらに、コーナー部１２においては、溶着リブ１１の内側壁１１ａには、コーナー部１２の内側（即ち、内部空間３側）に向かって突出する半円柱状の凸部１６が形成されている。この凸部１６は、溶着リブ１１の内側壁１１ａの円弧方向の中央部に配置されている。さらに、凸部１６は、溶着リブ１１の内側壁１１ａの立ち上げの高さ方向にわたって設けられている。
【００２２】
本実施例に係る第２溶着リブ構造６では、図１及び図２に示すように、第２樹脂部材２の溶着端側には、その形状にならって溶着リブ２１が立ち上げられている。具体的に、第２樹脂部材２の溶着端側には、外側に張り出すようにフランジ２０が設けられており、溶着リブ２１は、フランジ２０上の張出し方向の中間部に配置されている。さらに、フランジ２０上には、その内縁及び外縁に沿って立壁２８が設けられている。この立壁２８は、各溶着リブ１１、２１の内側壁及び外側壁との間でバリ溜り空間２９を形成する。さらに、第２樹脂部材２の溶着端側は、平面方向に湾曲するコーナー部２２を有している。
【００２３】
上記コーナー部２２においては、図４及び図６（ｂ）に示すように、溶着リブ２１の内側壁２１ａは、第２樹脂部材２の溶着端側の内側面２３（すなわち、フランジ２０の内側壁２０ａ）を形成する円弧２４の曲率半径ｒ１（例えば、５ｍｍ）より小さな曲率半径ｒ２（例えば、４．８ｍｍ）を持つ円弧面状に形成されている。さらに、コーナー部２２においては、溶着リブ２１の内側壁２１ａには、コーナー部２２の内側（即ち、内部空間３側）に向かって突出する半円柱状の凸部２６が形成されている。この凸部２６は、溶着リブ２１の内側壁２１ａの円弧方向の中央部に配置されている。さらに、凸部２６は、溶着リブ２１の内側壁２１ａの立ち上げの高さ方向にわたって設けられている。
【００２４】
ここで、上記第１及び第２溶着リブ構造５、６においては、図３及び図４に示すように、各樹脂部材１、２のコーナー部１２、２２において、溶着リブ１１、２１の内側壁１１ａ、２１ａの内側に形成されるバリ溜り空間２９は、従来の溶着リブ構造１０５（図１０参照）に比べて、溶着リブ１１、２１の内側壁１１ａ、２１ａと仮想円弧１５、２５とで囲まれる空間分だけ大きな容積となる。この仮想円弧１５は、第１樹脂部材１の溶着端側の内側面１３を形成する円弧１４と同心であり且つ円弧１４の曲率半径ｒ１（例えば、５ｍｍ）より大きな曲率半径ｒ３（例えば、７ｍｍ）を有している。また、仮想円弧２５は、第２樹脂部材２の溶着端側の内側面２３を形成する円弧２４と同心であり且つ円弧２４の曲率半径ｒ１（例えば、５ｍｍ）よりも大きな曲率半径ｒ３（例えば、７．８ｍｍ）を有している。さらに、凸部１６、２６は、コーナー部１２、２２で仮想円弧１５、２５よりも外側に配置されている。
【００２５】
（３）溶着リブ構造の作用
次に、上記構成の溶着リブ構造５、６の作用について説明する。第１樹脂部材１の溶着端側と第２樹脂部材２の溶着端側とを突き合わせて加圧した状態で、その加圧と直交する方向に第１及び第２樹脂部材１、２を相対的に振動させる。これにより、振動溶着により第１樹脂部材１と第２樹脂部材２が一体化されて樹脂製品Ｐが得られる。
【００２６】
上述の振動溶着時には、各溶着リブ１１、２１の先端側が溶けて溶着バリＢが発生する。特に、各樹脂部材１、２の溶着端側のコーナー部１２、２２において、溶着リブ１１、２１の内側で局所的に集中して溶着バリＢが発生する。これに対して、本実施例の第１及び第２溶着リブ構造５、６では、各樹脂部材１、２の溶着端側のコーナー部１２、２２において、溶着リブ１１、２１の内側のバリ溜り空間２９が比較的大きな容積に設定されため、溶着バリＢは、バリ溜り空間２９内に溜められて内部空間３内へ侵入しない（図１参照）。
【００２７】
（４）実施例の効果
本実施例の溶着リブ構造５、６によると、樹脂部材１、２の溶着端側には、その形状にならって溶着リブ１１、２１が立ち上げられており、樹脂部材１、２の溶着端側は、平面方向に湾曲するコーナー部１２、２２を有し、コーナー部１２、２２において、溶着リブ１１、２１の内側壁１１ａ、２１ａは、樹脂部材１、２の溶着端側の内側面１３、２３を形成する円弧１４、２４の曲率半径ｒ１より小さな曲率半径ｒ２を持つ円弧状に形成されているとともに、コーナー部１２、２２の内側に向かって突出する凸部１６、２６を備える。これにより、樹脂部材１、２の溶着端側のコーナー部１２、２２において、溶着リブ１１、２１の内側のバリ溜り空間２９の容積を大きく確保できるとともに、溶着リブ１１、２１の剛性が高められる。よって、溶着リブ１１、２１の内側で発生する溶着バリＢの内部空間３内へのはみ出しを抑制できるとともに、樹脂製品Ｐに必要な耐圧強度を確保することができる。
【００２８】
また、本実施例では、樹脂部材１、２の溶着端側には、外側に張り出すようにフランジ１０、２０が設けられており、溶着リブ１１、２１は、フランジ１０、２０上の張出し方向の中間部に立ち上げられている。これにより、溶着リブ１１、２１の内側のバリ溜り空間２９の容積を更に大きく確保できるとともに、溶着リブ１１、２１の剛性が更に高められる。
【００２９】
また、本実施例では、凸部１６、２６は、溶着リブ１１、２１の内側壁１１ａ、２１ａの円弧方向の中央部に配置されている。これにより、溶着リブ１１、２１の内側のバリ溜り空間２９の容積を更に大きく確保できるとともに、溶着リブ１１、２１の剛性が更に高められる。
【００３０】
さらに、本実施例では、凸部１６、２６は、溶着リブ１１、２１の内側壁１１ａ、２１ａの立ち上げの高さ方向にわたって設けられている。これにより、溶着リブ１１、２１の内側のバリ溜り空間２９の容積を更に大きく確保できるとともに、溶着リブ１１、２１の剛性が更に高められる。
【００３１】
さらに、本実施例では、凸部１６、２６は、樹脂部材１の溶着端側の内側面１３、２３を形成する円弧１４、２４と同心であり且つ円弧１４、２４の曲率半径ｒ１より大きな曲率半径ｒ３（具体的に、樹脂部材１、２の溶着端側のストレート部における内側面と溶着リブ１１、２１の内側壁との間隔Ｓを曲率半径ｒ１に加えた値；図３及び図４参照）を持つ仮想円弧よいもコーナー部１２、２２で外側に配置されている。これにより、溶着リブ１１、２１の内側のバリ溜り空間２９の容積を更に大きく確保できるとともに、溶着リブ１１、２１の剛性が更に高められる。
【００３２】
尚、本発明においては、上記実施例に限られず、目的、用途に応じて本発明の範囲内で種々変更した実施例とすることができる。すなわち、上記実施例では、溶着リブ１１、２１の立ち上げ端側を略一定幅で形成したが、これに限定されず、例えば、図７に示すように、溶着リブ１１、２１の立ち上げ端側を先細り状に形成してもよい。これにより、樹脂部材１、２の溶着初期の溶着バリＢの発生量が抑制される。よって、溶着バリＢの内部空間３内へのはみ出しを更に確実に抑制できる。この場合、例えば、溶着リブ１１、２１の立ち上げ端側には、内側から外側に向かうに連れてフランジ１０、２０の表面との間隔が大きくなる傾斜面３１が形成されていることができる。
【００３３】
また、上記実施例では、樹脂部材１、２の溶着端側に溶着リブ１１、２１が立設されたフランジ１０、２０を備える形態を例示したが、これに限定されず、例えば、フランジ１０、２０を備えずに、樹脂部材１、２の溶着端側に溶着リブ１１、２１が直接的に立設されるようにしてもよい。
【００３４】
また、上記実施例では、溶着リブ１１、２１の内側壁１１ａ、２１ａに単一の凸部１６、２６を設けるようにしたが、これに限定されず、例えば、図８に示すように、溶着リブ１１、２１の内側壁１１ａ、２１ａに２以上の凸部１６を設けるようにしてもよい。また、上記実施例では、横断面が略半円状の凸部１６、２６を例示したが、これに限定されず、例えば、横断面が略多角状（例えば、三角状、四角状等）の凸部としてもよい。
【００３５】
また、上記実施例では、第１及び第２樹脂部材１、２の溶着端側のそれぞれに溶着リブ１１、２１を備えるようにしたが、これに限定されず、例えば、第１及び第２樹脂部材１、２の溶着端側のうちの一方の溶着端側に溶着リブ１１、２１を備え、他方の溶着端側に溶着リブ１１、２１を備えないようにしてもよい。
【００３６】
また、上記実施例では、振動溶着により２つの樹脂部材１、２を一体化してなる樹脂製品Ｐを例示したが、これに限定されず、例えば、超音波溶着、レーザ溶着等により２つの樹脂部材１、２を一体化してなる樹脂製品としてもよい。
【００３７】
さらに、上記実施例における樹脂製品Ｐの用途、形状、大きさ等は特に問わない。この樹脂製品としては、例えば、流体供給用管、吸気マニホールド、各種フィルタ等が挙げられる。
【００３８】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３９】
本発明は、上記で詳述した実施形態に限定されず、本発明の請求項に示した範囲で様々な変形または変更が可能である。
【産業上の利用可能性】
【００４０】
本発明は、第１樹脂部材と第２樹脂部材とを適切に溶着（特に、振動溶着）して樹脂製品を得るための技術として広く利用される。
【符号の説明】
【００４１】
１；第１樹脂部材、２；第２樹脂部材、５；第１溶着リブ構造、６；第２溶着リブ構造、１１，２１；溶着リブ、１１ａ，２１ａ；溶着リブの内側壁、１３、２３；樹脂部材の溶着端側の内側面、１４，２４；円弧、１６、２６；凸部、ｒ１；円弧の曲率半径、ｒ２；溶着リブの内側壁の曲率半径。
【図１】
2019137001.tif 000003
【図２】
2019137001.tif 000004
【図３】
2019137001.tif 000005
【図４】
2019137001.tif 000006
【図５】
2019137001.tif 000007
【図６】
2019137001.tif 000008
【図７】
2019137001.tif 000009
【図８】
2019137001.tif 000010
【図９】
2019137001.tif 000011
【図１０】
2019137001.tif 000012